(57)【要約】【課題】従来の保持具では、保持具の取付時に縫製が必要になり、取り外し時には縫製を解く作業が必要になって、保持具の着脱が煩雑であった。また、着用者所望の衣服の襟を自由に立てることができなかった。【解決手段】襟の折り曲げ線の上側から下側に達する所定長さの骨組みや衣服着用者の首の外周に沿った湾曲を有する骨組みを備える襟立保持具を立てた状態の襟に対して装着する。この結果、襟の傾倒が防止される。また、装着には粘着テープ等を利用可能であり、衣服着用者の意図通りの位置に襟立保持具を装着し、また、取り外すことができる。粘着体の粘着力が低下した場合には、粘着体を取り替えることによって容易に襟立保持具を再利用することができる。【選択図】　図１
2004044009.tif 000002
【特許請求の範囲】
【請求項１】
襟の折り曲げ線の上側から下側に達する所定長さの骨組みを備え、立てた状態の襟に対して上記骨組みが装着されることを特徴とする襟立保持具。
【請求項２】
衣服着用者の首の外周に沿った湾曲を有する骨組みを備え、立てた状態の襟に対して上記骨組みが装着されることを特徴とする襟立保持具。
【請求項３】
上記骨組みは可撓性のある板状部材であって一方の面には粘着体を貼付け可能な粘着体貼付部が形成されており、当該粘着体貼付部に対して粘着体を介在させつつ衣服の襟に装着されることを特徴とする上記請求項１または請求項２のいずれかに記載の襟立保持具。
【請求項４】
上記粘着体貼付部は、衣服の襟を折り曲げる折り曲げ線より上方に装着されるとともに襟を立てた状態で維持させる襟立状態維持部を備えることを特徴とする上記請求項３に記載の襟立保持具。
【請求項５】
上記粘着体貼付部は、上記折り曲げ線より下方に装着されるとともに襟立保持具の位置を安定化させる安定化部を備えることを特徴とする上記請求項３または請求項４のいずれかに記載の襟立保持具。
【請求項６】
上記粘着体貼付部は襟立状態維持部を２個以上備えることを特徴とする上記請求項３〜請求項５のいずれかに記載の襟立保持具。
【請求項７】
上記粘着体は、両面に粘着材を塗布して形成されたテープであることを特徴とする上記請求項３〜請求項６のいずれかに記載の襟立保持具。
【請求項８】
上記襟立保持具は、細長い板状部材からなる本体と当該本体の端部に連結された粘着体貼付部とを備えることを特徴とする上記請求項３〜請求項７のいずれかに記載の襟立保持具。
【請求項９】
上記本体は、両端に上記襟立状態維持部が連結された細長い板状部材と、一方端が当該板状部材に対して略垂直に連結されるとともに他方端に上記安定化部が連結された細長い板状部材とを備えることを特徴とする上記請求項８に記載の襟立保持具。
【請求項１０】
上記本体は複数個の部材で構成されており、当該複数個の部材の一つは上記細長い板状部材の一方の面に長手方向に沿って並設された複数の突起を備え、上記複数個の部材の他の一つは上記細長い板状部材にて上記突起同士の距離に対応した距離に離間されると共にその長手方向に沿って並設された複数の嵌合穴を備えることを特徴とする上記請求項８または請求項９のいずれかに記載の襟立保持具。
【請求項１１】
可撓性のある板状の一枚板に連結された部位と離間された部位とからなる複数の切り込み線が形成されており、当該切り込み線のいずれかに沿って上記一枚板から切り離すことによって形成されることを特徴とする上記請求項１〜請求項１０のいずれかに記載の襟立保持具。
【請求項１２】
上記骨組みは略同幅の板状部材であって、襟の折り曲げ線に略平行に装着される襟立状態維持部と当該襟立状態維持部に対して略垂直に配向されつつ連結された安定化部とを備えることを特徴とする上記請求項１〜請求項７，請求項１１のいずれかに記載の襟立保持具。
【請求項１３】
上記骨組みは屈曲可能な細長い金属にて形成されることを特徴とする上記請求項１，請求項２，請求項１２のいずれかに記載の襟立保持具。
【請求項１４】
上記骨組みには、当該骨組みを覆う保護部材が装着されることを特徴とする上記請求項１〜請求項１３のいずれかに記載の襟立保持具。
【請求項１５】
襟に対して装着して襟を立てた状態で維持する襟立保持具に装着される襟立保持具の保護部材であって、
上記襟立保持具の外周より大きな外周を有することによって当該襟立保持具を覆うことが可能であるとともに一方の面に粘着体が貼り付けられて上記襟あるいは襟立保持具に対して装着されることを特徴とする襟立保持具の保護部材。
【発明の詳細な説明】
【０００１】
【発明の属する技術分野】
本発明は、襟立保持具および襟立保持具の保護部材に関し、特に、首の外周に沿って折り曲げる襟に使用して好適な襟立保持具および襟立保持具の保護部材に関する。
【０００２】
【従来の技術】
首の外周に沿って折り曲げることによって通常状態で寝かせられる衣服であっても、ファッション性の向上等のために当該襟を上側に立てた状態で衣服を着用することがある。通常、この衣服を着用した状態で襟を立てることは可能であるものの、この状態で衣服着用者が活動すると、襟が自然に寝てしまったり形が崩れたりしてしまう。そこで、従来は襟の形を保ち、立てた状態で維持するための保持具を襟に対して直接的に縫製し、保形および状態維持を図っていた。
【０００３】
【発明が解決しようとする課題】
上述した従来の襟立保持具においては、衣服への着脱が困難であった。すなわち、襟に対して保持具を縫製しているので、保持具の取付時には縫製が必要になり、取り外し時には縫製を解く作業が必要になる。従って、保持具を自由に着脱することができない。襟を立てた状態と襟を寝かせた状態の双方で衣服を着用したい場合には、保持具の取付、取り外し作業が煩雑である。取付、取り外しが困難になると実際には衣服に対して保持具を取り付けたままにされることが多く、その衣服は実際には襟を立てた状態でのみ使用されるようになる。従って、実質上ファッションを楽しむための自由度が減殺してしまう。また、予め保持具を縫製した状態の衣服を購入する場合、必ずしも着用者所望の衣服に保持具の縫製がなされているとは限らず、所望の衣服の襟を立てて維持することが困難であった。
本発明は、上記課題にかんがみてなされたもので、簡単に着脱可能であり、また、着用者所望の衣服に装着可能な襟立保持具および襟立保持具の保護部材を提供することを目的とする。
【０００４】
【課題を解決するための手段】
上記目的を達成するため、請求項１にかかる発明は、襟の折り曲げ線の上側から下側に達する所定長さの骨組みを備え、立てた状態の襟に対して上記骨組みが装着される構成としてある。上記のように構成した請求項１にかかる発明においては、骨組みが襟の折り曲げ線の上側から下側に達する所定長さに形成されているので、当該骨組みを、着用者所望の衣服の襟を立てて装着することによって襟の傾倒を防止することができる。
【０００５】
ここで、襟の折り曲げ線の上側および下側は、襟を立てた状態での上下であり、着用者の頭側が上側であり、着用者の背中側が下側である。また、襟の折り曲げ線は総ての衣服によって厳密に規定されるわけではないが、襟が自然に折り曲がる位置が折り曲げ線になり得る。すなわち、当該襟の折り曲げ線を跨いで装着可能な骨組みであれば、襟の傾倒を防止することができる。骨組みは襟の傾倒を防止できるような固さを有していれば良く、樹脂，紙，金属等種々の材質を採用可能である。むろん、具体的には種々の素材を採用することができ、シリコンゴムや厚紙等によって形成することができる。
【０００６】
また、請求項２にかかる発明では、衣服着用者の首の外周に沿った湾曲を有する骨組みを備え、立てた状態の襟に対して上記骨組みが装着される構成としてある。上記のように構成した請求項２にかかる発明においては、骨組みが湾曲しているので、当該骨組みが、着用者所望の衣服の襟を立てた状態で装着されることによって襟を湾曲させた状態で維持する。立てた状態の襟を傾倒するためには湾曲を解消して平面上にする必要があり、湾曲した状態では自然な襟の傾倒が防止される。
【０００７】
上記請求項１および請求項２において、上記骨組みは襟に対して装着することができればよく、骨組み自体に粘着体を貼り付けて襟に装着してもよいし、粘着体を貼り付けた別部材に対して骨組みを取り付け、当該別部材とともに骨組みを襟に対して装着してもよいし、骨組みを別部材で覆うとともに別部材を襟に対して装着することによって骨組みも装着するように構成することが可能である。
【０００８】
ここで、骨組みの湾曲は衣服着用者の首の外周に沿った湾曲であるが、立てた襟に装着して襟の傾倒を防止することができれば良い。従って、衣服着用者によって異なる首の外周の大きさに対して個別に対応した湾曲である必要はなく、首の外周方向に沿う方向の湾曲であればよい。襟が湾曲した状態が維持されれば襟を立てた状態で維持することができるので、この骨組みは襟の折り曲げ線の上下いずれに対して装着しても良い。ここでも、骨組みは襟の傾倒を防止できるような固さを有していれば良く、樹脂，紙，金属等種々の材質を採用可能である。
【０００９】
さらに、請求項３にかかる発明は、上記骨組みは可撓性のある板状部材であって一方の面には粘着体を貼付け可能な粘着体貼付部が形成されており、当該粘着体貼付部に対して粘着体を介在させつつ衣服の襟に装着される構成としてある。上記のように構成した請求項３にかかる発明においては、襟立保持具の粘着体貼付部に対して粘着体を貼付け可能であり、粘着体を粘着体貼付部に貼り付けることにより、襟立保持具を他の物に装着することが可能になる。
【００１０】
この状態で粘着体を介して襟立保持具を襟に対して装着することで、襟を立てた状態で維持することが可能になる。すなわち、板状部材によって補助されることにより襟が立った状態で維持される。ここで、板状部材は襟が倒れようとする力に対して反作用を作用させて、襟を立てた状態で維持することができれば良く、粘着体貼付部が板状部材の全体に渡って形成されていても良いし、一部に形成されていても良い。また、複数の襟立保持具を装着する構成であっても良い。
【００１１】
襟立保持具は板状部材であり、衣服を着用した状態での襟と首の間に配設されてじゃまにならない程度の厚みであればよい。好ましくは数ミリメートルであるがむろんそれ以下でも良い。また、板状部材は可撓性を有しているので、襟と首の間に配設されたときに着用者に対して違和感を与えない。すなわち、可撓性があることによって着用者の動作に応じて襟立保持具がなじみ、着用者は不快に感じることもなくほとんど何も装着していないかのような感覚で使用することができる。
【００１２】
また、板状部材に可撓性があることで、着用者に違和感を与えないように襟立保持具を形成しつつも、板状部材を円弧状に形成するとともに板状部材を襟の下部に配設し、板状部材に沿って襟の下部を円弧状に維持させることによって襟を立てるようにすることもできる。可撓性を有する板状部材としては、樹脂，金属，紙等種々の素材によって形成することができる。
【００１３】
襟立保持具は襟を立てた状態で維持することができればよいが、ファッションとして好ましい状態で使用可能にするため、その大きさとしては衣服着用状態で首の後ろに隠れるような大きさに形成するのが好ましい。むろん、着用者の首周りサイズに応じて複数の大きさの襟立保持具を形成することができる。外部から目立たなくするためには襟の色と同色にするのが好ましく、複数の色の襟立保持具を形成すると良い。
【００１４】
さらに、請求項４にかかる発明では、上記粘着体貼付部は、衣服の襟を折り曲げる折り曲げ線より上方に装着されるとともに襟を立てた状態で維持させる襟立状態維持部を備える構成としてある。すなわち、襟立保持具は襟を立てた状態で維持することができればよく、その具体例として、粘着体貼付部は襟立状態維持部を備えており、当該襟立状態維持部を襟の折り曲げ線より上方に装着するようにしてある。このとき、襟立保持具全体としては折り曲げ線を跨ぐように、すなわち折り曲げ線に対して略垂直に配向させるのが好ましく、これにより襟はその折り曲げ線から折り曲がりづらくなり、襟立状態維持部が襟の傾倒を抑止するように作用する。
【００１５】
襟立状態維持部は襟の傾倒を抑止することができればよく、その全体が折り曲げ線より上方に装着されることが必要となるわけではなく、一部が折り曲げ線より上方に装着されても良い。むろん、襟の折り曲げ線を跨ぐように襟立保持具を襟に対して装着する他、上記円弧状に形成した襟立保持具であれば、折り曲げ線の下に装着しても襟を立てた状態で維持することができる。
【００１６】
さらに、請求項５にかかる発明では、上記粘着体貼付部は、上記折り曲げ線より下方に装着されるとともに襟立保持具の位置を安定化させる安定化部を備える構成としてある。すなわち、襟立保持具は粘着体貼付部を介して襟に対して装着されるが、襟に対して粘着体が装着される面積が大きいほど襟立保持具の位置を安定化させることができる。そこで、折り曲げ線より下方に安定化部を配設するように構成し、当該安定化部に貼り付けた粘着体を介して衣服に装着するように構成すれば、襟立保持具の位置を安定化することができる。
【００１７】
襟の折り曲げ線より下方に安定化部が配設されることにより、当該安定化部は外部から視認されることがないので、形状，大きさに制約が無く、任意の形状や大きさで形成することができる。むろん、衣服着用者に違和感を与えないようにするため、安定化部は安定化に必要充分な面積にするのが好ましい。また、上記襟立状態維持部と組み合わせて形成する場合、粘着体貼付部としては襟を立てた状態で維持する機能と襟立保持具の位置を安定化させる機能を有していれば良く、これら機能を有する粘着体貼付部を細長い板状部材で連結するなどして襟立保持具を形成することができる。
【００１８】
さらに、粘着体貼付部の好適な構成例として請求項６にかかる発明では、上記粘着体貼付部は襟立状態維持部を２個以上備える構成としてある。すなわち、襟の傾倒を抑止する部位が一つだけでは、傾倒が防止できても襟の形を保持しづらいが、襟立状態維持部を２個以上備えていれば、両者が所定距離離間した状態で襟に対して装着できるように襟立保持具を形成することができ、襟立状態維持と共に襟の形を維持することができる。むろん、２つの襟立保持具を装着して２カ所以上に襟立状態維持部を装着しても良いが、一つの襟立保持具に２個以上の襟立状態維持部が備えられていれば、一つの襟立保持具によって襟立状態維持と襟の保形を行うことができる。
【００１９】
さらに、上記粘着体として好適なれいとして請求項７にかかる発明では、上記粘着体は、両面に粘着材を塗布して形成されたテープである構成としてある。すなわち、両面に粘着材が塗布されたテープであれば、粘着体貼付部に対して自由に貼付け、また剥がすことができる。従って、粘着体の粘着力が低下した場合であっても、テープを交換することによって襟立保持具を再利用することができる。
【００２０】
両面に粘着体が塗布されたテープを粘着体貼付部に貼り付け、また、剥がすことを可能にする構成としては、平滑な表面を有する板状部材やテープを剥離すると同時に表面が剥離しない素材の板状部材等にて構成することが好ましい。例えば、樹脂や金属であれば容易に表面を平滑化することができるし、紙であれば樹脂コーティング等を施すのが好ましい。むろん、表面が均一な平滑面であることが必須ではなく、剥がしやすいように突起を形成すること等は可能である。むろん、表面が剥離する素材であっても、襟を立てた状態で維持する機能が減殺されることはない。ので、表面が剥離しないことは必須ではない。
【００２１】
さらに、襟立保持具の具体的構成例として請求項８にかかる発明では、上記襟立保持具は、細長い板状部材からなる本体と当該本体の端部に連結された粘着体貼付部とを備える構成としてある。すなわち、板状部材の本体を細長くすることで、必要最小限の大きさで襟立保持具を形成しつつも、端部に連結された粘着体貼付部の大きさを調整することにより、粘着に必要充分な面積を確保することができる。粘着に必要充分な面積は、襟の大きさ，布の材質，粘着体の素材等によって適宜変更することも可能である。また、細長い板状部材であれば、容易に首の外周形状に沿った円弧状に形成することができる。
【００２２】
さらに、請求項９にかかる発明では、上記本体は、両端に上記襟立状態維持部が連結された細長い板状部材と、一方端が当該板状部材に対して略垂直に連結されるとともに他方端に上記安定化部が連結された細長い板状部材とを備える構成としてある。すなわち、本体は一方に配向した板状部材と当該部材に対して略垂直に配向した板状部材とを備えている。かかる構成において、一方に配向した板状部材の両端に襟立状態維持部が配設されるので、この板状部材を襟の折り線に対して略平行に配向させることにより、両端の襟立状態維持部を同じ高さに調整しやすくなる。
【００２３】
また、襟立保持具は自重によって下方に引かれるので、襟立保持具の位置を安定化させるためには上下方向の動作を安定化させるのが好ましく、上記一方に配向した板状部材に対して略垂直に配向させた板状部材を連結することによって、この板状部材を襟の折り線に対して略垂直に配向させつつ安定化部を衣服に装着することができ、容易に襟立保持具の位置を安定化することができる。
【００２４】
さらに、請求項１０にかかる発明では、上記本体は複数個の部材で構成されており、当該複数個の部材の一つは上記細長い板状部材の一方の面に長手方向に沿って並設された複数の突起を備え、上記複数個の部材の他の一つは上記細長い板状部材にて上記突起同士の距離に対応した距離に離間されると共にその長手方向に沿って並設された複数の嵌合穴を備える構成としてある。
【００２５】
すなわち、突起を嵌合穴に対して嵌入可能に構成してあり、嵌合する突起を適宜選択することによって、突起が形成された板状部材と嵌合穴が形成された板状部材との相対的な位置関係を調整しながら両者を連結することができる。従って、両板状部材を連結した後に形成される本体の長さを調整することができ、必要に応じて種々の大きさの襟立保持具にすることができる。むろん、突起と嵌合穴との組み合わせ位置を調整することによって板状部材の相対的な位置を調整する他、互いにスライド可能であると共に所望位置でロック可能な機構を形成するなど種々の機構を採用可能である。
【００２６】
さらに、請求項１１にかかる発明では、可撓性のある板状の一枚板に連結された部位と離間された部位とからなる複数の切り込み線が形成されており、当該切り込み線のいずれかに沿って上記一枚板から切り離すことによって形成される構成としてある。すなわち、利用者所望の切り込み線で切り離すことにより、利用者所望の大きさの板状部材を有する襟立保持具を得ることができる。
【００２７】
さらに、請求項１２にかかる発明では、上記骨組みは略同幅の板状部材であって、襟の折り曲げ線に略平行に装着される襟立状態維持部と当該襟立状態維持部に対して略垂直に配向されつつ連結された安定化部とを備える構成としてある。すなわち、襟の折り曲げ線に対して略平行に襟立状態維持部が装着されると、当該襟立状態維持部の全長に渡って襟の折り曲げ線に沿って屈曲するようにして襟が傾倒することを防止する力を作用させることができる。
【００２８】
また、安定化部は襟に装着された襟立状態維持部が襟とともに傾倒することを防止するように補助することができれば良く、襟立状態維持部に略垂直に配向されつつ連結されることによって安定化部を襟の折り曲げ線より下方に配向させつつ装着することができる。安定化部が襟の折り曲げ線より下方に配向され、襟の折り曲げ線より下方に装着されることにより、襟立状態維持部が襟とともに傾倒する力の反作用を作用させることができ、襟の傾倒を確実に防止することができる。また、略同幅の板状部材であれば、当該板状部材の面の任意の位置に粘着体を貼り付けることができ、着用者所望の位置に粘着体を貼り付けることができるし、必要充分な量の粘着体となるように容易に調整可能である。
【００２９】
尚、本発明にかかる襟立保持具では、襟に装着されて襟の傾倒を防止することができればよく、上記略同幅の板状部材にて襟の折り曲げ線に略平行に装着される襟立状態維持部と当該襟立状態維持部に対して略垂直に配向されつつ連結された安定化部とを形成すると好適であるものの、むろん、この形状に限定されるわけではない。例えば、略Ｖ字形の骨組みを形成し、当該Ｖ字の両端を襟の折り曲げ線の上側に配設し、当該Ｖ字の屈曲部を襟の折り曲げ線の下側に配設する構成でも良く、種々の態様を採用可能である。
【００３０】
さらに、請求項１３にかかる発明では、上記骨組みは屈曲可能な細長い金属にて形成される構成としてある。すなわち、屈曲可能な細長い金属であれば種々の形状を容易に形成することができる。さらに、襟の傾倒を防止する固さの材質を容易に選定することができる。形状としては、直線状の細長い金属を連結しても良いし、細長い金属を屈曲させて骨組みの外周を形成してもよく、さらに、上述のような襟立状態維持部と安定化部とを備える形状としてもよい。金属は屈曲可能であればよく、材質としては特に限定されない。例えば、形状記憶合金であれば使用によって変形したとしても元の形に戻すことができる。
【００３１】
さらに、請求項１４にかかる発明では、上記骨組みには、当該骨組みを覆う保護部材が装着される構成としてある。すなわち、保護部材によれば、骨組みと衣服着用者とが直接的に当接することを防止することができ、襟立保持具を違和感なく使用することができる。かかる構成は、骨組みに角や尖端等がある場合に好適である。すなわち、角部位や尖端等が直接的に衣服着用者に触れないようにすることができ、違和感なく使用可能である。
【００３２】
保護部材の素材としては、人体に違和感を与えない素材が好ましく、例えば、布を採用可能である。布であれば、容易に任意の形状に切り出すことができるし、人体から発生する汗を吸収することができるし、香水を含ませることもできる。また、保護部材で骨組みを覆う構成であれば、保護部材に対して粘着体を貼り付けたり粘着体を塗布することによって、骨組みを襟と保護部材とで挟みつつ襟に対して骨組みを装着することが可能になる。さらに、保護部材と骨組みとを一体化し、これら一体で襟に対して装着しても良い、例えば、布の保護部材に対して骨組みを縫い込むなどすれば容易に両者を一体化することができる。
【００３３】
さらに、襟立保持具の保護を目的とした部材単体としても発明として成立し、請求項１５にかかる発明では、襟に対して装着して襟を立てた状態で維持する襟立保持具に装着される襟立保持具の保護部材であって、上記襟立保持具の外周より大きな外周を有することによって当該襟立保持具を覆うことが可能であるとともに一方の面に粘着体が貼り付けられて上記襟あるいは襟立保持具に対して装着される構成としてある。すなわち、襟立保持具の外周を覆う部材であれば、襟立保持具の保護部材として機能する。
【００３４】
【発明の効果】
以上説明したように本発明によれば、着用者所望の衣服に装着し、襟を立てた状態で保持することができる。
また、請求項２にかかる発明によれば、着用者所望の衣服に装着し、襟を立てた状態で保持することができる。
さらに、請求項３にかかる発明によれば、簡単に着脱可能な襟立保持具を提供することができる。
さらに、請求項４にかかる発明によれば、容易に襟の傾倒を抑止することができる。
【００３５】
さらに、請求項５にかかる発明によれば、襟立保持具の位置を安定化することができる。
さらに、請求項６にかかる発明によれば、襟立状態維持と共に襟の形を維持することができる。
さらに、請求項７にかかる発明によれば、容易に襟立保持具を再利用することができる。
さらに、請求項８にかかる発明によれば、必要最小限の大きさで襟立保持具を形成しつつも、粘着に必要充分な面積を確保することができる。
【００３６】
さらに、請求項９にかかる発明によれば、襟立状態維持部の位置調整が容易であると共に装着後の位置を容易に安定化させることができる。
さらに、請求項１０にかかる発明によれば、必要に応じて種々の大きさの襟立保持具にすることができる。
さらに、請求項１１にかかる発明によれば、利用者所望の大きさの板状部材を有する襟立保持具を得ることができる。
さらに、請求項１２にかかる発明によれば、容易かつ確実に襟の傾倒を防止することができるとともに、任意の位置及び任意の量の粘着体で襟立保持具を襟に対して装着することができる。
【００３７】
さらに、請求項１３にかかる発明によれば、種々の形状の襟立保持具を容易に形成することができる。
さらに、請求項１４にかかる発明によれば、着用者に対して違和感を与えない襟立保持具を提供することができる。
さらに、請求項１５にかかる発明によれば、襟立保持具の使用時に着用者に対して違和感を与えない襟立保持具の保護部材を提供することができる。
【００３８】
【発明の実施の形態】
ここでは、下記の順序に従って本発明の実施の形態について説明する。
（１）襟立保持具の構成：
（２）襟立保持具の装着：
（３）第１実施形態の変形例：
（４）第２実施形態：
（５）第３実施形態：
（６）第４実施形態：
（７）第５実施形態：
（８）第６実施形態：
（９）第７実施形態：
（１０）第８実施形態：
（１１）第９実施形態：
（１２）第１０実施形態：
（１３）第１１実施形態：
【００３９】
（１）襟立保持具の構成：
図１は本発明にかかる襟立保持具１０を示す斜視図である。本実施形態において襟立保持具１０は、樹脂製の薄い板状部材から切り出されることによって形成される一体の部材である。襟立保持具１０は略長円形の粘着体貼付部１１を備えており、当該粘着体貼付部１１は細長い板状部材１２，１３の端部に連結されている。板状部材１２は断面矩形状であると共に一方に長い部材であり、両端に粘着体貼付部１１としての襟立状態維持部１１ａが連結されている。
【００４０】
板状部材１３は断面矩形状であると共に一方に長い部材であり、一端には板状部材１２が連結されている。板状部材１３は板状部材１２の中央部から対称の位置に形成されており、本実施形態では計２個である。板状部材１３の他端には粘着体貼付部１１としての安定化部１１ｂが連結されている。本実施形態において、襟立状態維持部１１ａの幅Ｗａおよび安定化部１１ｂの幅Ｗｂは板状部材１２，１３の幅よりＷより大きくなっている。
【００４１】
これら襟立状態維持部１１ａと安定化部１１ｂとの表面には両面に粘着材を塗布したテープ２０を貼り付け、また、剥がすことができる。襟立保持具１０においては、テープ２０を襟立状態維持部１１ａと安定化部１１ｂとの表面に貼り付けることにより、これらの表面に粘着性を備えることができ、この状態で襟に対して装着することができる。また、テープ２０に塗布された粘着材は襟立保持具１０を襟に対して装着した状態で維持可能な程度の粘着力を有しているが、両者を過度に強固に連結するわけではなく、襟から襟立保持具１０を剥がすことが可能な粘着力となっている。むろん、テープ２０による粘着力は、テープの量や襟を構成する布の素材によって異なるので、取り付け対象となる布の素材や粘着体貼付部１１の大きさ等に対応させて適宜変更することができる。
【００４２】
（２）襟立保持具の装着：
次に上記構成にかかる襟立保持具１０をシャツ３０に対して取り付ける様子を図２〜図４に基づいて説明する。シャツ３０は、図２に示すように前身頃が分離されていると共に一方の前身頃の縦方向に複数のボタンが縫いつけられており、他方の前身頃の縦方向に並べて設けられたボタン穴に掛け合わせることができる。シャツ３０の上部では前身頃と後身頃に対して襟３１が縫いつけられており、襟３１の縁に沿って略平行に折り曲げ線３１ａが形成されている。すなわち、当該折り曲げ線３１ａに沿って襟３１を折り曲げて図２に示すように寝かせた状態にすることができる。
【００４３】
襟３１の中央直下には矩形のタグ３２が縫いつけられている。当該タグにはシャツ３０の製造者やサイズ等が記されている。襟立保持具１０はこのタグ付近にて襟３１に対して装着される。すなわち、着用者がシャツ３０を着用した状態で、着用者の首と襟３１の間に配設される。図３は、着用者を二点鎖線で示すと共に襟立保持具１０が襟３１に装着された状態を示す説明図である。
【００４４】
装着に際しては、上記襟立状態維持部１１ａと安定化部１１ｂとに対して上記テープを貼り付け、粘着材を露出させた状態にする。この状態において、２つの安定化部１１ｂにてタグ３２を挟み込むようにしつつ、板状部材１２を襟３１の折り曲げ線３１ａに対して略平行に配向させ、かつ板状部材１２が当該折り曲げ線３１ａより上に配置するように位置決めして襟立状態維持部１１ａと安定化部１１ｂとを襟３１に押しつける。この押しつけによってテープ２０を介して襟立保持具１０が襟３１に対して装着される。
【００４５】
この装着により、襟立保持具１０は襟立状態維持部１１ａおよび安定化部１１ｂの計４点で支えられるが、安定化部１１ｂは襟立保持具１０の下側に位置していることから、襟立保持具１０の自重を支えることになる。襟立状態維持部１１ａは板状部材１２，１３を介して安定化部１１ｂによって支えられており、また、上記折り曲げ線３１ａより上に配置されるので、襟３１が紙面後方に傾倒しようとしてもその傾倒を抑えることができる。従って、襟立保持具１０を装着していると、図３に示すようにシャツ３０の襟３１を立てた状態で保持することができる。
【００４６】
尚、板状部材１２の長手方向に沿った襟立保持具１０の全長、すなわち板状部材１２の長さと襟立状態維持部１１ａの長さとを足しあわせた長さは、着用者を正面から視認した場合の首の幅Ｗｎより短くなっており、着用者がシャツ３０を着用した状態で、襟立保持具１０は着用者の正面から視認することができない。従って、ファッション性を損なうことなく襟立保持具１０を装着し、襟を立てた状態で保持することができる。むろん、首の幅Ｗｎは着用者によって様々であるが、複数のサイズの襟立保持具１０を用意すれば種々の体躯に応じた製品を提供することができる。
【００４７】
また、襟立保持具１０を種々の色に着色することによって、襟立保持具１０をより目立ちにくくすることも可能である。すなわち、一般に流通するシャツは種々の色であることから、種々の色の襟立保持具１０を提供すれば、着用者がシャツ３０の色（襟３１の色）に近い色の襟立保持具１０を選択することができ、装着された襟立保持具１０と襟３１の色との区別をしづらくすることができる。この結果、装着状態の襟立保持具１０がより目立たなくなる。むろん、襟立保持具１０に対して着色する他、襟３１に施された特定の模様に類似した模様を襟立保持具１０に対して施すことによっても当該襟立保持具１０を目立たなくすることができる。
【００４８】
さらに、図示したシャツ３０は前身頃が分離された種類のシャツであるが、むろん、前身頃が分離されておらず被るようにして着用するシャツに対して本発明にかかる襟立保持具１０を装着することも可能である。襟としても図示した襟３１であることが必須であるわけではない。すなわち、襟に対して明確に折り曲げ線が形成されているものである必要はなく、折り曲げることによって寝かせられる襟であれば本発明を適用することができる。
【００４９】
本実施形態においては、上記安定化部１１ｂが二カ所に形成されており、これによってタグ３２を避けて安定化部１１ｂ上のテープ２０を直接的にシャツ３０の布に対して当接させることができる。タグ３２は、シャツ３０の製造者によって種々の取付方をされており、両端の二カ所のみを縫いつけてある場合も多い。この場合、タグ３２の中央はシャツ３０から浮いているので、当該タグ３２の中央に安定化部１１ｂを装着すると、安定化部１１ｂのシャツ３０に対する粘着が不安定になる。
【００５０】
しかし、本実施形態では上述のようにタグ３２を挟み込むようにして襟立保持具１０を装着することができるので、上述のように中央部分がシャツ３０から浮いた状態にあるタグ３２を備えるシャツ３０であっても不安定になることなく襟立保持具１０を装着することができる。また、襟立状態維持部１１ａおよび安定化部１１ｂに貼り付けられたテープ２０は同じ材質の布に対して当接されるので、襟立状態維持部１１ａおよび安定化部１１ｂに対して同じ材質のテープ２０を使用して、均等な力で貼り付くようにすることができる。
【００５１】
本実施形態にかかる襟立保持具１０はその装着位置にかなりの自由度がある。図４は、襟立保持具１０の装着位置の自由度を説明する説明図である。同図は、上記シャツ３０の襟３１付近を拡大した拡大図である。襟３１を立てた状態で保持するためには、襟３１が折り曲げ線３１ａで屈曲しないようにすることができればよい。従って、同図の二点鎖線に示すように襟立状態維持部１１ａが折り曲げ線３１ａを跨ぐようにして襟立状態維持部１１ａを襟３１に対して装着すれば、当該襟立状態維持部１１ａは折り曲げ線３１ａの上下で襟３１に対して当接していることから、当該折り曲げ線３１ａでの屈曲を防止することができる。
【００５２】
さらに、図４の実線に示すように、襟立保持具１０を襟３１のより上方に装着した場合であっても襟３１を立てた状態で保持することができる。襟立保持具１０が実線で示す位置に装着された状態で、襟３１を紙面奥側に傾倒させるような力が作用した場合、その力は襟立状態維持部１１ａを紙面奥側に移動させるような力として作用する。襟立状態維持部１１ａは板状部材１２，１３を介して安定化部１１ｂに連結されているので、上記力は当該安定化部１１ｂを紙面手前側に移動させるような力として作用する。
【００５３】
しかし、安定化部１１ｂはテープ２０を介してシャツ３０に対して取り付けられているので、安定化部１１ｂはシャツ３０から剥がれずに、当接された状態が維持される。従って、板状部材１２，１３を介して連結された襟立状態維持部１１ａにおいては、当該襟立状態維持部１１ａを紙面奥側に移動させる力に抗してその位置が維持され、襟３１が立った状態で保持される。
【００５４】
襟３１を紙面手前側に傾倒させるような力が作用した場合、その力は襟立状態維持部１１ａを紙面手前側に移動させるような力として作用する。襟立状態維持部１１ａは板状部材１２，１３を介して安定化部１１ｂに連結されているので、上記力は当該安定化部１１ｂを紙面奥側に移動させるような力として作用する。しかし、安定化部１１ｂはシャツ３０の布に押しとどめられ、大きく奥側に移動することはない。従って、板状部材１２，１３を介して連結された襟立状態維持部１１ａにおいては、当該襟立状態維持部１１ａを紙面手前側に移動させる力に抗してその位置が維持され、襟３１が立った状態で保持される。
【００５５】
以上のように、本実施形態にかかる襟立保持具１０は、襟立状態維持部１１ａを襟３１の折り曲げ線３１ａより上方に配設させつつ装着して、襟３１を立てた状態で保持することができる。むろん、上記図４の実線に示す位置よりも上方に襟立保持具１０を装着することも可能であり、着用者の好みによって装着位置を上下に調整することができる。
【００５６】
襟立保持具１０は可撓性のある板状部材で構成されているが、襟立保持具１０は上述のように襟３１の傾倒に伴う襟立状態維持部１１ａの移動を止める必要がある。従って、板状部材１２，１３は襟３１の傾倒に伴って折れ曲がらない程度に固い材料であることが必要とされ、板状部材１２，１３が折れ曲がらない程度で撓む程度の可撓性を有している。この可撓性を有していることによって着用者の動作に応じて襟立保持具１０が適宜変形するので、着用者が感じる着心地は非常に快適になる。
【００５７】
（３）第１実施形態の変形例：
本発明にかかる襟立保持具においては、襟に対して装着されることによって襟の傾倒を防止することができれば良く、この意味で、その形状は上記図１に示す例に限定されない。図５は上記第１実施形態の第１変形例を示す斜視図である。図５において、上記第１実施形態と同様の構成は上記図１と同符号にて示している。すなわち、２つの襟立状態維持部１１ａが板状部材１２の両端に連結され、２つの板状部材１３が板状部材１２に対して略垂直に連結されている構成は上記第１実施形態と同様である。
【００５８】
図５に示す第１変形例にかかる襟立保持具１００では、安定化部の構成が異なっている。すなわち、安定化部１１０ｂは単体の板状部材で形成されており、２つの板状部材１３の両端を連結するように形成されている。この結果、安定化部１１０ｂは上記安定化部１１ｂより広い面積を備えることになり、より大きな面積でシャツ３０と当接することによって、襟立保持具１００の位置をより安定化し、効果的に襟３１の傾倒を防止することができる。
【００５９】
また、安定化部１１０ｂが広くなっていることにより、着用者所望の位置にテープ２０を貼り付けてシャツ３０に対して装着することができる。尚、安定化部１１０ｂは大きいので、一部を切り取って必要充分な大きさにしてから使用することもできる。むろん、中央部分で切断して安定化部１１０ｂを分離し、シャツ３０に対して二カ所で連結しても良い。
【００６０】
図６は上記第１実施形態の第２変形例を示す斜視図である。図６において、上記第１実施形態と同様の構成は上記図１と同符号にて示している。すなわち、２つの襟立状態維持部１１ａが左右両端に配置され、２つの板状部材１３の端部に安定化部１１ｂが連結されている構成は上記第１実施形態と同様である。図６に示す第２変形例にかかる襟立保持具１０１では、板状部材の構成が異なっている。すなわち、板状部材１２１は上記板状部材１２と同方向に配向されるが、その中央、板状部材１３に挟み込まれる位置に襟立状態維持部１０１ａが形成されている。この結果、襟立状態維持部は計３個となり、より多数の部位でシャツ３０と当接することによって、襟３１の傾倒を効果的に防止することができる。
【００６１】
図７は上記第１実施形態の第３変形例を示す斜視図である。図７において、上記第１実施形態と同様の構成は上記図１と同符号にて示している。すなわち、２つの襟立状態維持部１１ａが板状部材１２の両端に配置されている構成は上記第１実施形態と同様である。図７に示す第３変形例にかかる襟立保持具１０２では、板状部材および安定化部の構成が異なっている。すなわち、板状部材１３および安定化部１１ｂは存在しない。このように、安定化部が存在しない襟立保持具１０２であっても、図４の二点鎖線で示すように襟３１の折り曲げ線３１ａにを襟立状態維持部１１ａで跨ぐようにして装着すれば、当該装着部位で折り曲げ線３１ａの屈曲を防止することができるので、襟３１の傾倒を防止することができる。
【００６２】
図８は上記第１実施形態の第４変形例を示す斜視図である。図８において、上記第１実施形態と同様の構成は上記図１と同符号にて示している。すなわち、２つの襟立状態維持部１１ａが左右両端に配置され、板状部材１２の下方に長円形の安定化部１１ｂが形成される構成は上記第１実施形態と同様である。図８に示す第４変形例にかかる襟立保持具１０３では、板状部材および安定化部の数が異なっている。すなわち、板状部材１３３は上記板状部材１２に対して垂直方向に連結されるが、その数は一つであって板状部材１２の中央に配設されている。
【００６３】
従って、安定化部１１ｂは一カ所にてシャツ３０と当接し、襟立保持具１０３をシャツ３０の中央に配置したときには、当該安定化部１１ｂがシャツ３０のタグ３２と重なり合う。しかし、安定化部１１ｂは一つなので、同図（ａ）に示すようにタグ３２がその左右両端でシャツ３０に対して縫い付けられている場合にはタグ３２の裏側に安定化部１１ｂを挿入することにより安定化部１１ｂをシャツ３０に対して直接的に当接させることができる。
【００６４】
一方、同図（ｂ）に示すようにタグ３２がその上下左右でシャツ３０に対して縫いつけられている場合にはタグ３２の表側に安定化部１１ｂを当接させる。この場合、タグ３２はシャツ３０に固定されて浮くことがないので、安定化部１１ｂはシャツ３０に対してしっかりと固定される。従って、同図（ａ），（ｂ）いずれの場合も安定化部１１ｂがシャツ３０に対してしっかりと固定され、襟立状態維持部１１ａの位置を安定化させると共に、襟３１の傾倒を確実に防止することができる。
【００６５】
（４）第２実施形態：
本発明によって襟を立てた状態で保持し、保形するために、複数の別対の部材を利用しても良い。図９は複数の別対の部材を利用した第２実施形態を示す斜視図である。この第２実施形態では２つの襟立保持具１０４を利用する。２つの襟立保持具１０４は板状の部材であると共に同形である。それぞれにおいては一方の端部に襟立状態維持部１１４ａを備え、他方の端部に安定化部１１４ｂを備えている。襟立状態維持部１１４ａと安定化部１１４ｂとは細長い板状部材１３４に連結されている。
【００６６】
本実施形態において、襟立状態維持部１１４ａは略矩形の面を有し安定化部１１４ｂは長円形の面を有しているが、これらに対しては襟の傾倒防止に必要充分な強度を確保するテープ２０を貼り付け可能であれば良く、形状が限定されるわけではない。襟立保持具１０４を襟３１に対して貼り付ける際には、襟立状態維持部１１４ａを上方、安定化部１１４ｂを下方に配向させてシャツ３０に対して装着する。このとき、襟立状態維持部１１４ａを図４に示す折り曲げ線３１ａより上方に配置し、２個の襟立保持具１０４を襟３１の横方向に並べるようにしてシャツ３０に装着することによって上記第１実施形態と同様に襟３１の傾倒を防止することができる。
【００６７】
従って、襟立保持具１０４の装着によって襟３１を立てた状態で保持することができる。本実施形態においても襟立保持具１０４はテープ２０を介してシャツ３０に対して装着されるので、着用者の意図によっては容易に襟立保持具１０４を取り外すことができ、また、テープ２０の粘着力が低下した場合にはテープ２０を取り替えることによって襟立保持具１０４を再利用することができる。さらに、襟立保持具１０４は複数の別対の部材であることから、互いの相対的な位置関係に制限はなく、着用者所望の自由な位置に装着することができる。むろん、２個以上の襟立保持具１０４を利用しても良い。
【００６８】
（５）第３実施形態：
さらに、本発明にかかる襟立保持具の大きさやシャツに対する当接位置を着用者の望み通りに変更できるように構成しても良い。図１０は、かかる第３実施形態を示す斜視図である。本実施形態において、襟立保持具１０５は、襟立状態維持部１１５ａと安定化部１１５ｂと板状部材１３５とを備えている。襟立状態維持部１１５ａと安定化部１１５ｂと板状部材１３５とは、幅が略一定であって一方向に長い板状部材である。
【００６９】
襟立状態維持部１１５ａと安定化部１１５ｂとは略同幅であるが、襟立状態維持部１１５ａの方が長い。板状部材１３５は幅が狭く、細長い板状部材を形成している。襟立状態維持部１１５ａと安定化部１１５ｂの長手方向は略平行であり、板状部材１３５はこの方向に対して略垂直に配向しつつ端部において襟立状態維持部１１５ａと安定化部１１５ｂとにそれぞれ連結されている。
【００７０】
本実施形態においても、襟立状態維持部１１５ａと安定化部１１５ｂの表面にテープ２０を貼り付ける。そして、襟立状態維持部１１５ａが、上記図４に示す襟３１の折り曲げ線３１ａを跨ぐ位置および当該位置より上方に襟立状態維持部１１５ａが配置されるようにして襟立保持具１０５をシャツ３０に対して装着する。この結果、襟３１を立てた状態で保持することができる。本実施形態では、上述のように襟立状態維持部１１５ａと安定化部１１５ｂの幅が一定であるので、これら襟立状態維持部１１５ａの表面と安定化部１１５ｂの表面とのいずれに対してもテープ２０を貼り付けることができる。
【００７１】
従って、着用者が必要と考える任意の位置にテープ２０を貼り付けてシャツ３０に装着することができる。また、任意の位置にテープ２０を貼り付けると共に、襟立状態維持部１１５ａと安定化部１１５ｂとが必要以上に大きいと考える場合には、着用者所望の大きさになるように襟立保持具１０５を切断することができる。従って、大きめの襟立保持具１０５を提供しておけば、体の小さな着用者から体の大きな着用者まで、また、襟の大きさに応じて、好ましい大きさの襟立保持具１０５になるように着用者自身で自由に調整することが可能になる。
【００７２】
むろん、任意の位置にテープ２０を貼り付け、また、任意の大きさに調整可能な形状の襟立保持具としては上述のものに限定されない。例えば、図１１に示すような変形例を採用可能である。同図において、襟立保持具１０５ａは襟立状態維持部１１５ａ１と安定化部１１５ｂ１とを備えている。襟立状態維持部１１５ａと安定化部１１５ｂとは、幅が略一定であって一方向に長い板状部材である。
【００７３】
襟立状態維持部１１５ａと安定化部１１５ｂ１とは、略一定の幅の板状部材であり、安定化部１１５ｂ１は襟立状態維持部１１５ａ１に対して略垂直に配向されつつ連結されている。この襟立保持具１０５ａを襟３１に対して装着する際には、襟立状態維持部１１５ａ１と安定化部１１５ｂ１との同じ側の面の任意位置にテープ２０を貼り付ける。そして、襟立状態維持部１１５ａ１は襟３１の折り曲げ線３１ａに対して略平行に貼り付け、安定化部１１５ｂ１は折り曲げ線３１ａの下側に貼り付ける。この結果、襟３１を立てた状態で保持することができる。
【００７４】
（６）第４実施形態：
本発明においては、湾曲した骨組みを利用して襟を立てた状態で維持するように構成しても良い。図１２は、かかる第４実施形態を示す斜視図である。同図に示すように、襟立保持具１０６は上記第１実施形態にかかる襟立保持具１０とほぼ同形であるが、板状部材が湾曲している。すなわち、細長い板状部材１２６の両端に襟立状態維持部１１６ａが連結されると共に、細長い板状部材１２６には２つの細長い板状部材１３６が連結され、当該板状部材１３６の端部には安定化部１１６ｂが形成されている。
【００７５】
但し、板状部材１２６は、一方側に湾曲しており、全体として円弧を形成している。図４に示すようにシャツ３０の襟３１を立てた状態において、襟３１が平面に近づくほど襟３１が傾倒し易く、襟３１が首周りに沿って円弧を形成している程、襟３１は傾倒しづらい。本実施形態は、板状部材１２６の湾曲によって襟３１が湾曲した状態を維持することにより襟３１の傾倒を防止するものである。
【００７６】
すなわち、襟立状態維持部１１６ａと安定化部１１６ｂとにおいて、図１２に示す襟立保持具１０６の湾曲の外周側にテープ２０を貼り付けてシャツ３０に対して襟立保持具１０６を装着する。このとき、襟立状態維持部１１６ａが襟３１の内側に配置するように装着すれば、板状部材１２６の湾曲に沿って、襟３１が湾曲した状態となる。従って、襟３１の湾曲によって立っている状態の襟３１の傾倒が防止される。
【００７７】
本実施形態においては、主に板状部材１２６の湾曲によって襟３１の傾倒を防止するので、襟立状態維持部１１６ａを上記図４に示す折り曲げ線３１ａより下方に貼り付けても襟３１を立てた状態で維持することができる。むろん、上記第１実施形態と同様に折り曲げ線３１ａより上方に襟立状態維持部１１６ａを貼り付けてもかまわない。本実施形態においては、板状部材１２６の湾曲によって、襟３１が首周りに沿って湾曲した状態で保形される。従って、着用者は第１実施形態と第４実施形態とを適宜選択することによって、好みの状態に襟３１を保形することができる。
【００７８】
（７）第５実施形態：
本発明においては、着用者の体躯やシャツの大きさ等によって上述のように襟立保持具の大きさを変更できれば便利である。襟立保持具の大きさを変更するための構成としては他にも種々の構成を採用可能であり、図１３は、かかる第５実施形態を示す斜視図である。同図では上記第１実施形態と同様の構成に同符号を付し、中央部分を拡大して示している。同図に示すように、襟立保持具１０７は上記第１実施形態にかかる襟立保持具１０とほぼ同形であるが、襟立保持具１０７の全長を調整するための機構が板状部材に形成されている。すなわち、襟立状態維持部１１ａが連結される細長い板状部材は板状部材１２７ａ，１２７ｂに分離されている。板状部材１２７ａの一方の端部には襟立状態維持部１１ａが連結されているが、他方の端部は先端で幅が狭くなると共に長手方向に沿って複数の円形穴１２７ａ１が形成されている。
【００７９】
板状部材１２７ｂの一方の端部には襟立状態維持部１１ａが連結されているが、他方の端部は先端で厚みが増していると共に上記板状部材１２７ａの先端が嵌合可能に切欠が形成されている。当該切欠においては複数の円柱状突起１２７ｂ１が板状部材１２７ｂの長手方向に沿って並設されている。これら円柱状突起１２７ｂ１と円形穴１２７ａ１との間隔は一致しており、円形穴１２７ａ１に対して円柱状突起１２７ｂ１を嵌合させることができる。
【００８０】
従って、板状部材１２７ａ，１２７ｂの長手方向に沿って相対的に位置を変動させながらいずれかの円柱状突起１２７ｂ１を円形穴１２７ａ１に嵌合させて両板状部材１２７ａ，１２７ｂを連結することができる。この結果、紙面左右方向に襟立保持具１０７の長さを調整することができ、着用者の体躯や襟の大きさによって適宜調整することが可能になる。
【００８１】
（８）第６実施形態：
着用者の体躯やシャツの大きさ等によって襟立保持具の大きさを変更可能な構成として、他にも種々の構成を採用可能である。図１４は、かかる第６実施形態を示す斜視図である。この第６実施形態では、襟立保持具を一枚の板状部材から切り出して使用するようになっている。すなわち、本実施形態において襟立保持具は一枚の矩形板状部材１０８として提供され、着用者がはさみ４０等で所望の大きさに切り出すことによって襟立保持具として使用することが可能になる。
【００８２】
矩形板状部材１０８では、はさみ４０等による切り出しを容易にするために、複数の切り込み線１０８ａが形成されている。切り込み線１０８ａは矩形板状部材１０８の各辺に沿って略平行に形成されており、切り込み線１０８ａの端部にて矩形板状部材１０８を切断することで、周縁が直線状の板状部材を切り出すことができる。本実施形態においては襟立保持具の襟立状態維持部と安定化部と細長い板状部材とを容易に形成できるように、切り込み線１０８ａが形成されている。
【００８３】
すなわち、切り込み線１０８ａを縦横に網目状に形成した部位１１８ａにおいて所望の面積を有する板状の部位を切り出すことによって襟立状態維持部を形成することができ、切り込み線１０８ａを縦横に網目状に形成した部位１１８ｂにおいて所望の面積を有する板状の部位を切り出すことによって安定化部を形成することができる。切り込み線１０８ａが横方向に形成された部位１２８から所望幅の板状部材を切り出すことによって上記板状部材１２のような細長い板状部材を形成することができるし、切り込み線１０８ａが縦方向に形成された部位１３８から所望幅の板状部材を切り出すことによって上記板状部材１３のような細長い板状部材を形成することができる。
【００８４】
この結果、上記第１実施形態に示す襟立保持具と略同形であるが、着用者所望の大きさの襟立保持具を切り出すことができ、着用者の体躯や襟の大きさによって襟立保持具の大きさを適宜調整することが可能になる。尚、上記部位１１８ａと部位１１８ｂと部位１２８，１３８は、それぞれが厳密に襟立状態維持，安定化部，板状部材に対応するわけではなく、むろん、襟立保持具の切り出し後に部位１１８ａの一部が板状部材１２に該当する部位を形成することもあり、着用者の意図によって適宜調整することができる。
【００８５】
（９）第７実施形態：
上述の実施形態にて襟立保持具は、襟３１の折り曲げ線３１ａに対して略平行に配設される襟立状態維持部と折り曲げ線３１ａの下方に配設される安定化部とを備えていたが、必ずしも上述の形状に限定されず、種々の形状で襟立保持具の骨組みを形成することができる。すなわち、襟３１の折り曲げ線３１ａの上側から下側に達する所定長さの骨組みであれば、襟を立てた状態で維持することができる。
【００８６】
図１５は、第７実施形態にかかる襟立保持具１０９を示す斜視図である。同図に示すように襟立保持具１０９は板状部材であるとともに、中央で屈曲した略Ｖ字状を形成している。かかる襟立保持具１０９においては、その両端を図１５の波線に示すように折り曲げ線３１ａの上側に配置し、中央の屈曲部位を折り曲げ線３１ａの下側に配置しつつ、テープ２０にて襟３１に貼り付ければよい。かかる装着によって襟３１の傾倒を防止することができる。
【００８７】
（１０）第８実施形態：
上記実施形態では、骨組みとなる板状部材を樹脂にて形成していたが、むろん、樹脂以外にも金属や紙など種々の材質にて骨組みを形成することができ、形状としても上記実施形態の総てを含む種々の形状の骨組みを採用可能である。さらに、骨組みを保護部材で覆う構成を採用することもできる。図１６は、紙製の骨組みと布製の保護部材とを備える襟立保持具１０００を示す斜視図である。
【００８８】
同図において、襟立保持具１０００は厚紙製の骨組み１０１０と保護部材１０２０とを備えている。骨組み１０１０は略矩形の板状部材を連結して構成され、襟立状態維持部１０１０ａと安定化部１０１０ｂとを備えている。襟立状態維持部１０１０ａと安定化部１０１０ｂとは幅一定の部材であり、安定化部１０１０ｂは襟立状態維持部１０１０ａに対して略垂直に配向されるとともに２カ所に形成されている。
【００８９】
保護部材１０２０はフェルト布製であり、その外周は上記骨組み１０１０の外周より大きく、両者を重ねたときに保護部材１０２０で骨組み１０１０を覆うことができる。本実施形態にかかる襟立保持具１０００は保護部材１０２０と骨組み１０１０とが一体とされて襟３１に装着される。すなわち、骨組み１０１０の表裏に対してテープ２０が貼り付けられ、骨組み１０１０の一方の面に保護部材１０２０が貼り付けられるとともに、他方の面のテープ２０を介して襟３１に対して装着される。
【００９０】
襟３１に対して襟立保持具１０００が装着された状態において、骨組み１０１０が厚紙であることにより、立てた状態で自然に折れ曲がらない程度の固さを有している。従って、襟３１の傾倒力に対して反作用を作用させることができ、襟３１を立てた状態で維持することができる。また、骨組み１０１０は厚紙製であって角部位が尖っているが、保護部材１０２０にて覆われることにより、当該角部位が着用者に対して直接的に当接することがない。従って、着用者は違和感を感じることなく襟立保持具１０００を装着した状態で使用し続けることができる。尚、保護部材１０１０は、フェルト布製であれば適度な厚みがあって角部による違和感を感じさせないようにする意味で好適であるが、むろん、他の布等を採用しても良い。
【００９１】
（１１）第９実施形態：
図１７は、細長い金属にて形成された骨組みを備える襟立保持具１１００を示す斜視図である。襟立保持具１１００は針金で形成された骨組み１１１０と保護部材１１２０とを備えている。骨組み１１１０は略平行に配向された直線状の部位と屈曲された部位を備えており、襟３１の折り曲げ線３１ａに対して略平行に配設される部位１１１０ａと当該部位１１１０ａに対して略垂直に配向された部位１１１０ｂとを備えている。
【００９２】
保護部材１１２０は上述の保護部材１０２０と同様にフェルト布製であり、その外周は上記骨組み１１１０の外周より大きく、両者を重ねたときに保護部材１１２０で骨組み１１１０を覆うことができる。本実施形態においては、保護部材１０２０の一面にテープ２０を貼り付けつつ骨組み１１１０とともに襟３１に対して装着することができる。
【００９３】
すなわち、保護部材１１２０は骨組み１１１０の外周より大きな外周を有しているので、保護部材１１２０と骨組み１１１０とが重ねられたときに保護部材１１２０の一面に貼り付けられたテープ２０を骨組み１１１０の外周及び内周に位置させることができる。骨組み１１１０の外周及び内周にテープ２０を位置させつつ当該テープ２０を襟３１に対して貼り付けると、保護部材１１２０を襟に対して貼り付けると同時に保護部材１１２０と襟３１の間に骨組み１１１０を配置させつつ維持させることができる。
【００９４】
骨組み１１１０は針金製であって、屈曲可能であるものの襟３１の傾倒を防止するに十分な固さを有しており、襟３１を傾倒させようとする力が作用したときに部位１１１０ａの全長に渡って襟３１の傾倒を防止する力を作用させる。従って、襟３１を立てた状態で維持することができる。本実施形態においては、テープ２０が骨組み１１１０の外周と内周とで襟３１に対して当接し、安定して装着できるように保護部材１１２０を十分に大きくすることが好ましい。
【００９５】
（１２）第１０実施形態：
上述の第９実施形態では、別体の骨組みと保護部材とを一体にしつつ襟に対して装着していたが、両者が予め一体になっていても良い。図１８は、予め一体に形成される保護部材と骨組みとを備える襟立保持具を示す斜視図である。同図に示すように、襟立保持具１２００は矩形フェルト布製の保護部材１２２０と上記骨組み１１１０と略同形の骨組み１２１０を備えている。保護部材１２２０には骨組み１２１０が縫い込まれており、予め一体に形成してある。従って、着用者は、当該矩形の保護部材１２２０にテープ２０を貼り付け、当該テープ２０を介して保護部材１２２０を襟３１に対して装着することができ、保護部材１２２０を装着した状態において襟３１を立てて維持させることができる。
【００９６】
（１３）第１１実施形態：
上述のように骨組みとしては、種々の態様を採用可能であり、図１９に示す骨組み１３１０のように矩形板状部材に台形状の部材を連結した部材であってもよい。すなわち、襟３１の折り曲げ線３１ａより上側から下側に達する長さを有して入ればよく、図１９に示す骨組み１３１０であっても折り曲げ線３１ａの上側に矩形板状部材を配設し、折り曲げ線３１ａの下側に台形状の部材を配設することができる。
【００９７】
さらに、襟立保持具を襟に対して装着する際の粘着体も両面に粘着材が塗布されたテープ２０に限定されることはない。例えば、アイロン等の熱によって粘着体を加熱して粘着力を発生させるものであっても良い。図１９はかかる例を示しており、保護部材１３２０の一面には加熱によって粘着力が発生する粘着体が塗布されている。従って、折り曲げ線３１ａの上側に矩形板状部材を配設して折り曲げ線３１ａの下側に台形状の部材を配設するように骨組み１３１０を襟３１に載置し、保護部材１３２０にて骨組み１３１０を覆いながらアイロンをかけると保護部材１３２０ごと骨組み１３１０を襟３１に対して装着することができる。この結果、襟３１を立てた状態で保持することができる。
【００９８】
むろん、襟立保持具を襟に対して装着する際に粘着体を利用することも必須ではなく、骨組み自体に面ファスナーを取り付けたり、保護部材自体に面ファスナー取り付けることにより、布製の襟に対して装着できるように構成しても良い。さらに、襟立保持具の骨組みが単一の素材で構成されることが必須となるわけではない。例えば、紙や樹脂製の骨組みに対して金属製の部材を取り付けて補強しても良い。さらに、保護部材を他の機能を有する部材と兼用しても良い。例えば、汗を吸収するための布と襟立保持具の骨組みの保護部材とを兼用しても良い。
【００９９】
以上のように、本発明においては、襟の折り曲げ線の上側から下側に達する所定長さの骨組みや衣服着用者の首の外周に沿った湾曲を有する骨組みを備える襟立保持具を立てた状態の襟に対して装着する。この結果、襟の傾倒が防止される。また、装着には粘着テープ等を利用可能であり、衣服着用者の意図通りの位置に襟立保持具を装着し、また、取り外すことができる。粘着体の粘着力が低下した場合には、粘着体を取り替えることによって容易に襟立保持具を再利用することができる。
【図面の簡単な説明】
【図１】本発明にかかる襟立保持具を示す斜視図である。
【図２】襟立保持具をシャツに対して取り付ける様子を説明する説明図である。
【図３】襟立保持具が襟に装着された状態を示す説明図である。
【図４】襟立保持具の装着位置の自由度を説明する説明図である。
【図５】第１変形例を示す斜視図である。
【図６】第２変形例を示す斜視図である。
【図７】第３変形例を示す斜視図である。
【図８】第４変形例を示す斜視図である。
【図９】第２実施形態を示す斜視図である。
【図１０】第３実施形態を示す斜視図である。
【図１１】第３実施形態の変形例を示す斜視図である。
【図１２】第４実施形態を示す斜視図である。
【図１３】第５実施形態を示す斜視図である。
【図１４】第６実施形態を示す斜視図である。
【図１５】第７実施形態を示す斜視図である。
【図１６】第８実施形態を示す斜視図である。
【図１７】第９実施形態を示す斜視図である。
【図１８】第１０実施形態を示す斜視図である。
【図１９】第１１実施形態を示す斜視図である。
【符号の説明】
１０…襟立保持具
１１…粘着体貼付部
１１ａ…襟立状態維持部
１１ｂ…安定化部
１２，１３…板状部材
２０…テープ
３０…シャツ
３１…襟
３１ａ…折り曲げ線
３２…タグ
【図１】
2004044009.tif 000003
【図２】
2004044009.tif 000004
【図３】
2004044009.tif 000005
【図４】
2004044009.tif 000006
【図５】
2004044009.tif 000007
【図６】
2004044009.tif 000008
【図７】
2004044009.tif 000009
【図８】
2004044009.tif 000010
【図９】
2004044009.tif 000011
【図１０】
2004044009.tif 000012
【図１１】
2004044009.tif 000013
【図１２】
2004044009.tif 000014
【図１３】
2004044009.tif 000015
【図１４】
2004044009.tif 000016
【図１５】
2004044009.tif 000017
【図１６】
2004044009.tif 000018
【図１７】
2004044009.tif 000019
【図１８】
2004044009.tif 000020
【図１９】
2004044009.tif 000021